(57)【要約】【課題】疑似餌を傷付けることなく保持固定して持ち運ぶことができるとともに、洗浄性に優れた疑似餌収納ケースを提供することを目的とする。【解決手段】本発明の疑似餌収納ケース１は、疑似餌５０を載置するための載置面２ａを有するベース体２と、ベース体２上に立設され、疑似餌５０の基部５３を係止して保持するための複数の係止溝２９が形成される保持板２０と、疑似餌５０の少なくとも釣針５０ｂを外側から覆って収納するための開閉自在な収納カバー５とを備える。この疑似餌収納ケース１によれば、複数の疑似餌５０をその擬似餌本体５０ａが収納カバー５の外側に露出した状態でベース体２の載置面２ａ上に並べて保持板２０に取り付け保持できる。【選択図】図１
2012115198.tif 000002
【特許請求の範囲】
【請求項１】
餌の形態を模した疑似餌本体の基部に釣針を取り付けて成る疑似餌を収納するための疑似餌収納ケースであって、
疑似餌を載置するための載置面を有するベース体と、
前記ベース体上に立設され、疑似餌の基部を係止して保持するための複数の係止溝が形成される保持板と、
疑似餌の少なくとも釣針を外側から覆って収納するための開閉自在な収納カバーと、
を備え、
複数の疑似餌をその擬似餌本体が前記収納カバーの外側に露出した状態で前記ベース体の載置面上に並べて前記保持板に取り付け保持できることを特徴とする疑似餌収納ケース。
【請求項２】
前記収納カバーには、その閉じられた状態でも内側の釣針を洗浄できるようにする通水孔が設けられることを特徴とする請求項１に記載の疑似餌収納ケース。
【請求項３】
前記収納カバーには、その閉じられた状態で保持板に保持される疑似餌の釣針を保持板に対して押し付け付勢するための付勢手段が設けられることを特徴とする請求項１または請求項２に記載の疑似餌収納ケース。
【請求項４】
釣針が押し付けられる前記保持板の表面は、釣針の滑りを防止する防滑面として形成されることを特徴とする請求項３に記載の疑似餌収納ケース。
【発明の詳細な説明】
【技術分野】
【０００１】
本発明は、小魚等の餌の形態を模した疑似餌本体に釣針を取り付けて成る釣用疑似餌を収納するための疑似餌収納ケースに関する。
【背景技術】
【０００２】
従来から、ルアーフィッシングにおいては、餌の形態を模した疑似餌本体（ルアー本体）に釣針を取り付けて成る釣用疑似餌（ルアー）が用いられる。このようなルアーは、ルアー本体および釣針の形態、ルアー本体に対する釣針の取り付け位置や取り付け形態などに関して様々なものが知られているが、いずれも、水中でのリーリングにより小魚が泳ぐような動きをルアーに与えることにより対象魚を誘い、ルアー本体を捕食しようとする対象魚をルアー本体の釣針に針掛かりさせるものである。
【０００３】
例えば、イカ釣りでは、餌木と呼ばれるイカ釣り専用のルアーが用いられ、この餌木は、海老や小魚の形態を模した餌木本体と、餌木本体の尻尾部に一体に設けられる傘針とから成る。そして、このような餌木は、イカが餌木に誘われて餌木本体に抱き付くことにより傘針がイカの身肉に引っ掛って釣れるようになっている。
【０００４】
ところで、餌木本体は様々な光沢や色彩のものが各種存在しており、釣り人はその時の状況に応じた光沢や色彩の餌木を選択して使用する。また、これらの光沢や色彩といった餌木固有の要素は、釣果に大きな影響を及ぼすものであるため、餌木を使用後に洗浄するとともに傷付けることなく保管収納して持ち運ぶことが望まれる。
【０００５】
そのため、従来から、餌木を傷付けないように保管収納して持ち運ぶための収納ケースが知られている。例えば、特許文献１は、複数の通し溝を形成した係止板と、複数の挟み溝を形成した保持板とをケース本体に装着して成り、釣針の軸部を通し溝に係止させてルアー本体を挟み溝に挟み込むことによりルアーを収納保持できるようになっている釣り用ルアーケースを開示している。また、特許文献２は、餌木の尻尾部を嵌入可能な略Ｖ字形の切欠部を形成した仕切板をケース本体内に立設し、餌木本体収納部に軟質保護シートを敷設して成る餌木収納ケースを開示している。
【先行技術文献】
【特許文献】
【０００６】
【特許文献１】特開平８−２１４７４９号
【特許文献２】特開２００１−２０４３３８号
【発明の概要】
【発明が解決しようとする課題】
【０００７】
特許文献１および特許文献２に開示される収納ケースはいずれも、ルアー（餌木）を傷付けないように運搬することを課題としているため、ケース本体内でルアーの釣針（フック）を固定してルアー本体を保持することはできるが、釣行後に使用したルアーを１つずつ洗浄してケースに取り付けなければならず、効率的な洗浄を行なえるとは言い難かった。
【０００８】
本発明は、前記事情に着目してなされたものであり、その目的とするところは、疑似餌を傷付けることなく保持固定して持ち運ぶことができるとともに、洗浄性に優れた疑似餌収納ケースを提供することにある。
【課題を解決するための手段】
【０００９】
前記課題を解決するために、請求項１に記載の発明は、餌の形態を模した疑似餌本体の基部に釣針を取り付けて成る疑似餌を収納するための疑似餌収納ケースであって、疑似餌を載置するための載置面を有するベース体と、前記ベース体上に立設され、疑似餌の基部を係止して保持するための複数の係止溝が形成される保持板と、疑似餌の少なくとも釣針を外側から覆って収納するための開閉自在な収納カバーとを備え、複数の疑似餌をその擬似餌本体が前記収納カバーの外側に露出した状態で前記ベース体の載置面上に並べて前記保持板に取り付け保持できることを特徴とする。
【００１０】
この請求項１に記載の発明によれば、複数の疑似餌をベース体の載置面上に並べて保持板に取り付け保持できるため、疑似餌を傷付けることなく保持固定して持ち運ぶことが可能になるとともに、擬似餌本体を収納カバーの外側に露出した状態で載置面上に並べて保持できるため、複数の疑似餌を収納ケースに収納した状態で一括洗浄でき、洗浄性に優れる（洗浄効率が良い）。また、開閉自在な収納カバーによって疑似餌の釣針を覆うことができるため、収納ケースの取り扱い中に釣針が指に刺さる事態を回避でき、安全な使用を確保できる。
【００１１】
なお、上記構成において、収納カバーは、複数の疑似餌の釣針を一括して覆うようになっていてもよく、あるいは、個々の疑似餌の釣針を個別に収納できるように各疑似餌に対応して個別に設けられてもよい。また、収納カバーは、釣針を外部に露出させる開放状態と、釣針を覆って収納する閉塞状態との間で開閉できれば、その開閉形態はどのような形態であってもよい。更に、保持板に形成される係止溝の数、および、ベース体上に立設される保持板の数は任意である。
【００１２】
また、請求項２に記載の発明は、請求項１に記載の発明において、前記収納カバーには、その閉じられた状態でも内側の釣針を洗浄できるようにする通水孔が設けられることを特徴とする。
【００１３】
この請求項２に記載の発明によれば、請求項１に記載の発明と同様の作用効果が得られるとともに、収納カバーに設けた通水孔の存在により、収納カバーが閉じられた状態でもカバー内側の釣針を容易に洗浄することができ（通水孔を通じて収納カバーの内側に洗浄水を流通させることができ）、複数の疑似餌を収納ケースに収納した状態での一括洗浄を疑似餌全体にわたって良好に行なうことができる。
【００１４】
また、請求項３に記載の発明は、請求項１または請求項２に記載の発明において、前記収納カバーには、その閉じられた状態で保持板に保持される疑似餌の釣針を保持板に対して押し付け付勢するための付勢手段が設けられることを特徴とする。
【００１５】
この請求項３に記載の発明によれば、請求項１または請求項２に記載の発明と同様の作用効果が得られるとともに、保持板に保持される疑似餌の釣針が付勢手段によって保持板に押し付けられるため、保持板に対する疑似餌の保持安定性が良好となり、収納ケースの移動時や洗浄時に収納カバーと疑似餌の表面とが互いに擦れ合って傷付くことを防止できる。
【００１６】
また、請求項４に記載の発明は、請求項３に記載の発明において、釣針が押し付けられる前記保持板の表面は、釣針の滑りを防止する防滑面として形成されることを特徴とする。
【００１７】
この請求項４に記載の発明によれば、請求項３に記載の発明の作用効果を更に促進できるとともに、付勢手段によって保持板に押し付けられる疑似餌の釣針が保持板の表面に対して滑ることが防止され、保持板と疑似餌の釣針とが互いに擦れ合って針先が傷んだり、保持板が傷付くことを防止できる。
【発明の効果】
【００１８】
本発明によれば、疑似餌を傷付けることなく保持固定して持ち運ぶことができるとともに、洗浄性に優れた疑似餌収納ケースを提供することができる。
【図面の簡単な説明】
【００１９】
【図１】収納カバーが閉じられた状態における本発明の一実施形態に係る疑似餌収納ケースの斜視図である。
【図２】収納カバーが開放された状態における本発明の一実施形態に係る疑似餌収納ケースの斜視図である。
【図３】疑似餌の釣針を保持板に対して押し付け付勢するための付勢手段の幾つかの例を示す部分斜視図である。
【図４】疑似餌が保持板に保持されて収納カバーが閉じられた状態における図１の疑似餌収納ケースの横断面図である。
【図５】保持板の係止溝と釣針が押し付けられる保持板の表面とを拡大して示す保持板の部分正面図である。
【図６】収納カバーの変形例を示し、（ａ）は収納カバーの斜視図、（ｂ）は収納カバーの開閉構造を特に示す概略側面図である。
【発明を実施するための形態】
【００２０】
以下、添付図面を参照して、本発明に係る疑似餌収納ケースの実施形態について説明する。
【００２１】
図１に示されるように、本実施形態に係る疑似餌収納ケース１は、複数の釣用疑似餌５０を一括して収納するためのものであり、複数の疑似餌５０を載置するための載置面２ａを有するベース体２を備える。
【００２２】
なお、本実施形態の疑似餌５０は、例えばイカ釣り専用の餌木として形成されており、図４に明確に示されるように、餌（海老や小魚等）の形態を模した疑似餌本体（餌木本体）５０ａを有し、疑似餌本体５０ａには、必要に応じて目や髭等が取付けられ、色柄模様が付される。また、疑似餌本体５０ａの基部５３には傘針状の釣針５０ｂが一体に設けられており、疑似餌本体５０ａの先端部には、魚釣用リールから繰り出される釣糸が連結係止される釣糸係止部が設けられる。
【００２３】
また、図１および図２に示されるように、疑似餌収納ケース１のベース体２上には、疑似餌の基部５３を係止して保持するための複数の係止溝２９が形成される複数（図では３つ）の保持板２０が立設されている。この場合、保持板２０は、後述する収納カバー５を閉じた状態で収納カバー５同士の間に疑似餌本体５０ａのための載置空間Ｓを確保するように、互いに所定の間隔を隔てて略平行に並列配置されている。また、保持板２０に形成される複数の係止溝２９は、保持板２０の長手方向に沿って所定の間隔を隔てて設けられており、保持板２０の上端縁から略鍵穴状に下方へと延びている。具体的には、各係止溝２９は、疑似餌本体５０ａの基部５３を通し入れるための直線状の通し溝２９ａと、疑似餌本体５０ａの基部５３を下側から保持する略円形状の凹溝２９ｂとから成る（特に図４および図５参照）。
【００２４】
また、本実施形態の疑似餌収納ケース１は、保持板２０に保持される疑似餌５０の少なくとも釣針５０ｂを外側から覆って収納するための開閉自在な箱型の収納カバー５を備えている。本実施形態において、収納カバー５は、例えば合成樹脂によって形成されており、各保持板２０毎に１つずつ対応付けて設けられる（すなわち、３つ設けられている）。具体的には、各収納カバー５は、対応する１つの保持板２０に保持される全ての疑似餌５０の基部５３の一部と釣針５０ｂとを一括して覆うように保持板２０の全長にわたって延びており、前壁５ａと、上壁５ｂと、後壁５ｃと、左右側壁５ｄ，５ｄとによって疑似餌５０の基部５３の一部と釣針５０ｂとを収納するための収納空間Ｖを内側に形成することができる。そして、各収納カバー５は、両側壁５ｄ，５ｄの外面から側方に突設される回動軸１１がベース体２の両端縁に立設されたブラケット１３に回動可能に軸支されることにより、釣針５０ｂを外部に露出させる開放状態（図２の右端に位置される収納カバー５を参照）と、釣針５０ｂを覆って収納する閉塞状態（図１参照）との間で開閉できるようになっている。そして、収納カバー５が閉じられた状態では、疑似餌５０の擬似餌本体５０ａ（基部５３の一部を除く）のみが収納カバー５の外側に露出した状態でベース体２の載置空間Ｓ内に位置される。
【００２５】
なお、本実施形態において、各収納カバー５は、対応する１つの保持板２０に保持される全ての疑似餌５０の基部５３の一部と釣針５０ｂとを一括して覆うように保持板２０の全長にわたって延びているが、個々の疑似餌５０の釣針５０ｂを個別に収納できるように各疑似餌５０に対応して個別に設けられてもよいことは言うまでもない。
【００２６】
なお、各収納カバー５の前壁５ａには、保持板２０に保持される各疑似餌５０の擬似餌本体５０ａの外周面と遊嵌する嵌合溝１５が、保持板２０の各係止溝２９に対応して設けられている。すなわち、収納カバー５の前壁５ａには、その下端縁から略逆Ｕ字状を成して上方へと延びる嵌合溝１５が、係止溝２９の数と同じ数だけ、前壁５ａの長手方向に沿って互いに所定の間隔を隔てて設けられている。また、図２に明確に示されるように、各収納カバー５の前壁５ａの長手方向の略中央部位には、その下端縁に所定形状のロック片３７が形成されており、このロック片３７がベース体２の載置面２ａ上に形成される係止穴３９に係脱自在に係止されることにより収納カバー５の閉塞状態がロックされるようになっている。
【００２７】
また、各収納カバー５には、その閉じられた状態でも内側の釣針５０ｂを洗浄できるようにする通水孔９が設けられている。具体的に、本実施形態の通水孔９は、（閉じられた状態の）収納カバー５の後壁５ｃの下端縁とベース体２の載置面２ａとの間に設けられる隙間として形成されており、収納カバー５の全長にわたって延びている。
【００２８】
また、各収納カバー５には、その閉じられた状態で保持板２０に保持される疑似餌５０の釣針５０ｂを保持板２０に対して押し付け付勢するための付勢手段が設けられている。具体的には、この付勢手段は、収納カバー５の後壁５ｃの内面に、収納空間Ｖに面して各係止溝２９毎に対応して設けられる（図１および図２参照）。より具体的には、本実施形態の付勢手段は、図３の（ａ）および図４に明確に示されるように、後壁５ｃの内面から収納空間Ｖ内へと突出した状態で垂下する板バネ状の切片２５として形成される。これらの切片２５は、後壁５ｃへ向けて弾性的に変形できるように後壁５ｃから一定の隙間３０を隔てて位置される。
【００２９】
なお、このような付勢手段としては、前述した切片２５以外に、様々な形態のものが考えられる。例えば、図３の（ｂ）に示される付勢手段は、左右両端が後壁５ｃに接続された状態で収納空間Ｖ内へと凸状に突き出る薄肉の（変形し易いように厚さが薄い）ストリップ２５Ａとして形成されており、後壁５ｃへ向けて弾性的に変形できるように後壁５ｃから一定の隙間３２を隔てて位置される。また、図３の（ｃ）に示される付勢手段は、後壁５ｃの内面に固定される弾性体２５Ｂから成る。この弾性体２５Ｂは、合成樹脂性の発泡材、例えばポリエチレン、ポリプロピレン、ポリウレタン、エチレン酢酸ビニル共重合体などから形成され、各係止溝２９毎に対応して設けられてもよく、あるいは、後壁５ｃの全長にわたって長く延在していてもよい（保持板２０に保持される全ての疑似餌５０に共通の付勢手段として設けられてもよい）。付勢手段を各係止溝２９毎に対応して設けると、それぞれの疑似餌５０の釣針５０ｂの長さに対応して付勢手段が個別に変形できるため、釣針５０ｂをその長さとは無関係に保持板２０に対して確実に押し当てることができ、有益である。
【００３０】
また、本実施形態において、付勢手段によって釣針５０ｂが押し付けられる保持板２０の表面は、釣針５０ｂの滑りを防止する防滑面として形成されている。具体的には、図５の（ａ）に示されるように、釣針５０ｂが押し付けられる保持板２０の表面（当接面）２０ａは、略平行に延びる複数の線状の凹部または凸部４０を含む防滑面５８として形成されている。あるいは、釣針５０ｂが押し付けられる保持板２０の表面（当接面）２０ａは、図５の（ｂ）に示されるように、多数の凹状の穴４２が点在して成る防滑面５８として形成されてもよく、または、図５の（ｃ）に示されるように、保持板２０に貼り付けられ且つ保持板２０の素材に比べて軟質な部材４５から成る防滑面５８として形成されてもよい。
【００３１】
このように、上記構成の疑似餌収納ケース１を用いて疑似餌５０を収納保持する場合には、まず、収納カバー５を開放した状態で、使用済みの疑似餌５０の基部５３を保持板２０の係止溝２９に係止させる。その後、収納カバー５を閉じて、収納カバー５のロック片３７をベース体２の係止穴３９に係止させて収納カバー５の閉塞状態をロックすると、収納カバー５の後面５ｃに設けられた付勢手段２５（または、２５Ａ，２５Ｂ）によって、疑似餌５０の釣針５０ｂが保持板２０に対して押し当てられ、保持板２０に対する疑似餌５０の保持状態が安定してガタ付くことなく固定される。この状態では、ベース体２上にある全ての疑似餌５０は、その擬似餌本体５０ａが収納カバー５の外側に露出した状態で、ベース体２の載置面２ａ上に並べて保持板２０に取り付け保持されている。そして、その状態で、今度は、疑似餌収納ケース１ごと水中に浸して揺さぶることにより、あるいは、疑似餌収納ケース１全体に洗浄水をかけ流すなどして、疑似餌収納ケース１を洗浄すると、収納カバー５の外部に露出する疑似餌本体５０ａが洗浄されるのは勿論のこと、収納カバー５の通水孔９を通じて収納カバー５内の収納空間Ｖ内にも洗浄水が流通するため、収納空間Ｖ内に位置する疑似餌５０の釣針５０ｂも洗浄される。
【００３２】
以上説明したように、本実施形態の疑似餌収納ケース１によれば、複数の疑似餌５０をベース体２の載置面２ａ上に並べて保持板２０に取り付け保持できるため、疑似餌５０を傷付けることなく保持固定して持ち運ぶことが可能になるとともに、擬似餌本体５０ａを収納カバー５の外側に露出した状態で載置面２ａ上に並べて保持できるため、複数の疑似餌５０を収納ケース１に収納した状態で一括洗浄でき、洗浄性に優れる（洗浄効率が良い）。また、開閉自在な収納カバー５によって疑似餌５０の釣針５０ｂを覆うことができるため、収納ケース１の取り扱い中に釣針５０ｂが指に刺さる事態を回避でき、安全な使用を確保できる。
【００３３】
また、本実施形態の疑似餌収納ケース１によれば、収納カバー５に設けた通水孔９の存在により、収納カバー５が閉じられた状態でもカバー内側の釣針５０ｂを容易に洗浄することができ（通水孔９を通じて収納カバー５の内側に洗浄水を流通させることができ）、複数の疑似餌５０を収納ケース１に収納した状態での一括洗浄を疑似餌全体にわたって良好に行なうことができる。
【００３４】
また、本実施形態の疑似餌収納ケース１によれば、保持板２０に保持される疑似餌５０の釣針５０ｂが付勢手段２５（２５Ａ，２５Ｂ）によって保持板２０に押し付けられるため、保持板２０に対する疑似餌５０の保持安定性が良好となり、収納ケース１の移動時や洗浄時に収納カバー５と疑似餌５０の表面とが互いに擦れ合って傷付くことを防止できる。
【００３５】
また、本実施形態の疑似餌収納ケース１によれば、釣針５０ｂが押し付けられる保持板２０の表面が、釣針５０ｂの滑りを防止する防滑面５８として形成されているため、釣針５０ｂが保持板２０の表面に対して滑ることが防止され、保持板２０に対する疑似餌５０の保持安定性が良好となって、収納ケース１の移動時や洗浄時に収納カバー５と疑似餌５０の表面とが互いに擦れ合って傷付くことを防止できるとともに、保持板２０と疑似餌５０の釣針５０ｂとが互いに擦れ合って針先が傷んだり、保持板２０が傷付くことも防止できる。
【００３６】
以上、本発明の様々な実施形態を説明してきたが、本発明はこれらの実施形態に限定されず、その要旨を逸脱しない範囲で種々変形して実施できることは言うまでもない。例えば、前述した実施形態において、収納カバー５は、複数の疑似餌５０の釣針５０ｂを一括して覆うようになっているが、個々の疑似餌５０の釣針５０ｂを個別に収納できるように各疑似餌５０に対応して個別に収納カバー５を設けてもよい。また、保持板２０に形成される係止溝２９の数、および、ベース体２上に立設される保持板２０の数は任意である。また、収納カバー５は、釣針５０ｂを外部に露出させる開放状態と、釣針５０ｂを覆って収納する閉塞状態との間で開閉できれば、その開閉形態はどのような形態であってもよく、例えば図６に示されるように、ベース体２と収納カバー５の後壁５ｃの下端部とが薄肉の連結部５５で結合され、この結合部５５を中心に収納カバー５がベース体２に対して開閉（回動）できるようになっていてもよい。また、前述した実施形態において、通水孔９は、（閉じられた状態の）収納カバー５の後壁５ｃの下端縁とベース体２の載置面２ａとの間に設けられる隙間として形成され、収納カバー５の全長にわたって延びているが、図６に示されるように、（閉じられた状態の）収納カバー５の後壁５ｃの下端縁とベース体２の載置面２ａとの間に隙間を設けることなく、収納カバー５の後壁５ｃに複数の通水孔９Ａを所定の間隔を隔てて設けてもよい。
【符号の説明】
【００３７】
１  疑似餌収納ケース
２  ベース体
２ａ  載置面
５  収納カバー
９，９Ａ  通水孔
２０  保持板
２５，２５Ａ，２５Ｂ  付勢体（付勢手段）
２９  係止溝
５０  疑似餌
５０ａ  疑似餌本体
５０ｂ  釣針
５３  基部
５８  防滑面
【図１】
2012115198.tif 000003
【図２】
2012115198.tif 000004
【図３】
2012115198.tif 000005
【図４】
2012115198.tif 000006
【図５】
2012115198.tif 000007
【図６】
2012115198.tif 000008